(57)【要約】 【課題】  場所を選ばず造作でき、部品点数及び作業工数が少なく、棚板の付け外し及び棚板移動が容易に実行し得ると共に、棚板を強固に取り付けできる棚装置を提供する。【解決手段】  単一の棚柱１と、棚柱 1に対し十字状に配備され、一面側に棚柱１に係脱する係合手段４を備え、他面側に棚本体３を水平状に突出させる支持手段５を備えた単一の棚受け２と、一面側に上記支持手段５に係脱する立上り状の脱着手段６を備えた棚本体３とからなることを特徴とする。【選択図】          図１
2013247990.tif 000002
【特許請求の範囲】
【請求項１】
単一の棚柱と、棚柱に対し十字状に配備され、一面側に棚柱に係脱する係合手段を備え、他面側に棚本体を水平状に突出させる支持手段を備えた単一の棚受けと、一面側に上記支持手段に係脱する立上がり状の脱着手段を備えた棚本体とから成ることを特徴とする棚装置。
【請求項２】
前記係合手段は、棚柱の側板部を挟着する一対の対向する挟み板と、一対の挟み板間に配備にされ、面内に棚柱の取付孔に係脱する切り起こし爪を備えた係止板と、切り起こし爪の係止状態を固定するロックバーとから成ることを特徴とする請求項１記載の棚装置。
【請求項３】
前記支持手段は、背面を開口した棚受けの前板部の面内中央に設けた一定幅の開口部と、この開口下辺と前板部上辺の内面との間に設けた内方向へ凹む弓状の嵌合溝とからなることを特徴とする請求項１記載の棚装置。
【請求項４】
前記脱着手段は、棚本体の背面に立上り状に配備される嵌合部と、嵌合部に連続し棚受けの底板部に係脱する屈曲板部とからなり、嵌合部は前面が垂直面で背面を弓状の嵌合溝に対応する弓形棒出面に形成したことを特徴とする請求項１記載の棚装置。
【請求項５】
前記ロックバーは、上記一対の挟み板間に配備され、操作板部の押し込みで操作板部に脚部を介して連続する丸棒軸が回動し、脚部に設けた嵌合突部が前進して対応する支柱の取付孔を貫通することを特徴とする請求項２記載の棚装置。
【発明の詳細な説明】
【技術分野】
【０００１】
この発明は、棚板を移動し得る置棚と称する棚装置に関する。
【背景技術】
【０００２】
図１０は、従来の棚装置を示す斜視図である。
この棚装置は、棚柱７１と棚受け７２と棚板７３とで構成される。棚柱７１は、短冊状平板部７１ａの両側面に屈曲脚部７１ｂを設けて断面コ字状に形成している。短冊状平板部７１аの面内には、横長の矩形状取付孔７１ｃが上下方向へ一定間隔開いて多数開口してある。
【０００３】
前記棚受け７２は、短冊状平板部７１ａの幅と略同様な幅を有する矩形板の長さ略中央部を内向きに屈曲させたもので、水平状板部７２ａと斜傾状の支承板部７２ｂとからなる。水平状板部７２ａと支承板部７２ｂの各先端には、棚柱７１の取付孔７１ｃ幅より幅狭の板状引掛け片７２ｃ、７２ｄを突設している。
【０００４】
この棚装置では、陳列ケースや収納ケースなどの対向する壁面（両側板）に棚柱７１、７１、７１、７１を対向してビス（図示せず）止着する。そして、所望の棚高さに対応する取付孔７１ｃ、７１ｃ、７１ｃ、７１ｃを選択し、各取付孔７１ｃに水平状板部７２ａの引掛け片７２ｃを挿入した後、下方の対応する取付孔７１ｃに支承板部７２ｂの引掛け片７２ｄを挿入して棚受け７２、７２、７２、７２を引っ掛け係止する。
【０００５】
この状態で、矩形平板状の棚板７３を棚受け（水平状板部７２ａ）７２、７２、７２、７２上に平らにかけ渡す。載置した棚板７３上の荷重は棚受け７２、７２、７２、７２と取付孔７１ｃ、７１ｃ、７１ｃ、７１ｃとの係着によって４点支持される。
【特許文献１】特開平９−１４８２９号公報
【特許文献２】実開平７−４３７７８号公報
【発明の開示】
【発明が解決しようとする課題】
【０００６】
上記棚装置では、４本の棚柱と４個の棚受けで棚板を４点支持する構成である。このため、単に載せ置くだけの棚板を水平に保つ４本の棚柱と４個の棚受けが必須であり、部品点数が多い許かりでなく作業工数が多くコスト高となる不利がある。
【０００７】
また、棚の造作に際して、隣り合う棚柱及び対向する棚柱間の正確な位置合わせが必要な許かりでなく、上下方向へ多数縦列する取付孔から同じ高さ位置の取付孔をそれぞれ選定して各棚受けを係着させる相互の高さ位置合わせ作業が煩わしい。
【０００８】
更に、対向する壁面（両側板）がない場所には、造作できない不利がある許かりでなく、極めて小さい隙間状スペースには素人では造作し難く不向きである等の不利があった。
【０００９】
この発明は、以上のような課題を解消させ、場所を選ばず造作でき、部品点数及び作業工数が少なく、棚受けの付け外し及び棚板移動が容易に実行し得ると共に、棚板を強固に取り付けできる棚装置を提供することを目的とする。
【課題を解決するための手段】
【００１０】
この目的を達成させるために、この発明の棚装置では、次のような構成としている。
棚装置は、単一の棚柱と、棚柱に対し十字状に配備され、一面側に棚柱に係脱する係合手段を備え、他面側に棚本体を水平状に突出させる支持手段を備えた単一の棚受けと、一面側に上記支持手段に係脱する立上がり状の脱着手段を備えた棚本体とから成ることを特徴としている。
【発明の効果】
【００１１】
このような構成を有する棚装置では、単一の棚柱と、単一の棚受けと、単一の棚本体とから構成され、棚受けは棚柱に対し十字状に配備させ、この棚受けに棚本体を脱着可能に取付けることとしたから、部品点数が少なくコストの低減を実現し得る。
【００１２】
更に、単一の棚柱を一壁面に固定するだけの構成であるから、対向する壁面がない空間においても、またスペースの狭い場所においても容易に設置でき、棚の造作に場所を選らばない。
【００１３】
また、スペースの一壁面に単一の棚柱を固定し、且つこの棚柱に対し単一の棚受けを十字状に係合するだけであるから，作業工数が少ない。したがって、支柱の取付け位置精度や支柱に対する棚受けの取付け高さ位置調整などの煩瑣な手間を解消し得る許かりでなく、棚本体の上下高さ移動操作を容易に実行し得る。
【００１４】
更に、単一の棚本体は単一の棚受けに対し、直付け状に支持固定する構成であるから、棚本体の脱落がない許りでなく強固に且つ安定した水平状態を保持し得る等、発明目的を達成した優れた効果を有する。
【発明を実施するための最良の形態】
【００１５】
以下、図面に基づき本発明に係る棚装置の具体的な実施の形態を説明する。
図１は、棚装置の分離斜視図である。
棚装置は、単一の棚柱１と、棚柱１に対し十字状に配備される単一の棚受け２と、棚受け２に脱着可能に装着する棚本体３とから成る。
【００１６】
棚柱１は、ステンレス材等の板金による成形品で、短冊状の平板部１１と、この平板部１１の両側辺を直角状に屈曲させた左右の側板部１２，１２とから成る断面コ字状に形成されている。
【００１７】
上記平板部１１の面内には、横長矩形状の取付孔１３が上下方向へ一定間隔開いて多数開口してある。また、図示はしないが、平板部１１面内には適所に止着用のビス孔が複数開口してある。
【００１８】
前記棚受け２は、例えばステンレス板などの金属製で、横長短冊状の天板部２１と、天板部２１の一側面をほぼ直角に折り曲げた垂直状の前板部２２と、前板部２２の下面を内向きに折り曲げた底板部２３とから成る断面コ字状に形成している。更に、両端部には側板部２６、２６を設けている。
【００１９】
上記底板部２３は、天板部２１とほぼ平行状で、天板部２１幅よりも内向き幅を小さく設定している（図４参照）。また、図２で示すように天板部２１の内面に上側溝壁２４、底板部２２の先端部に下側溝壁２５をそれぞれ突設して上下に対向する挟み溝２４ａ、２５ａを設け、後述する係合手段４の取付板４１を挟着固定する。
【００２０】
棚受け２の一側面側（背面側）の長さ中央には、棚柱１に係合する係合手段４が配備してある。
係合手段４は、図２で示すように複数の補強リブ４１ａを備えた矩形状の取付板４１と、取付板４１の裏面に直角状に突設され、前板部２２下端より下方へ突出する一対の対向する挟み板４２、４２と、挟み板４２、４２の内側に凹み状に配備され、棚柱１の取付孔１３に係合する切り起こし爪４６ｃ、４６ｄを備えた係止板４６で形成される。
【００２１】
図３の分解斜視図で示すように、上記一対の挟み板４２、４２間には、背板部４３の両側面から直角状に突設する一対の対向する内側板４４、４４が、挟み板４２、４２に接面するように凹み状に嵌め込まれている。前記係止板４６は、この内側板４４、４４に対し被覆状に固着される（図２参照）。
【００２２】
上記内側板４４，４４には、前端面の長さ略中央にロックバー４５配備用の切り欠き穴４４ａ、４４ａを設けると共に、下端部に係止板４６の下端脚部４６ｆを載置する台板部４４ｂを設けている。
【００２３】
前記係止板４６は、平板部４６ａと、フランジ部４６ｇを備えた両側板部４６ｂとからなる断面コ字状で、平板部４６ａの面内に切り起こし爪４６ｃ、４６ｄを上下方向へ設けると共に、平板部４６ａの下端部に出没穴４６ｅを開口している。
【００２４】
上記ロックバー４５は、切り欠き穴４４а、４４ａに回動可能に掛け渡す丸棒軸４５ａと、丸棒軸４５ａから垂下する脚部４５ｂと、脚部４５ｂの下方に突設する嵌合突部４５ｃと、脚部４５ｂ下端に連続する操作板部４５ｄとから構成されている。
【００２５】
上記丸棒軸４５ａが切り欠き穴４４ａにセットされた状態で、嵌合突部４５ｃは係止板４６の出没穴４６ｅに対応し、操作板部４５ｄは背板部４３の下端下方、つまり一対の挟み板４２、４２間の下部開口４２ｂに対応位置する（図２参照）。
【００２６】
棚受け２の他側面側（正面側）には、棚本体３を取り付ける支持手段５が配備してある。
支持手段５は、図４で示すように、棚受け２の前板部２２に設けられる。前板部２２の面内幅中央に設ける一定幅の開口部５１と、この開口下辺５１ａと前板部２２上辺の内面２２аとの間に設ける内方向へ凹む弓状の嵌合溝５２とで形成する。後述する棚本体３の脱着手段６が、この嵌合溝５２に嵌脱する。
【００２７】
前記棚本体３は、図１で示すように基本的には棚受け（前板部２２）２と同じ長さを有する各種形態の小物置き体で、背面３３に脱着手段６を備えている。この小物置き体３は、実施の形態では図９で示すように矩形状の平板３１や、平板３１に周壁３４аを備えた上開口有底の箱体３４や、平板３１の面内に複数の切り目３５ａを入れた櫛歯状の小物吊り体３５等が例示される。
【００２８】
上記脱着手段６は、棚本体３の一側面（背面）に配備される。図１で示す実施の形態の脱着手段６は、小物置き体（矩形状の平板３１）３の背面３３の中央部と両端部の３箇所に設け、略三角形状の補強リブ３２を介して棚本体３に連設してある。
【００２９】
脱着手段６は、小物置き体（矩形状の平板３１）３の背面３３から立上り状に配備される嵌合部６１と、嵌合部６１の下端に連続する屈曲板部６２とから成る。嵌合部６１は、厚みを有する板状体で、前面を垂直面６１ａ、背面を弓状の嵌合溝５２に対応する弓形膨出面６１ｂとしている。また、屈曲板部６２は嵌合部６１の下端に連続し、突出先端を直角に折り曲げてＬ字状に形成してある。
【００３０】
このような構成を有する棚装置では、図４で示すように、壁面Ａに止着した棚柱１に対し、所望棚高さの取付孔１３ａを選定すると、切り起し爪４６ｃを取り付け孔１３аに対応させる。これにより、下方の切り起し爪４６ｄが下方の取付孔１３ｃに対応し、且つ嵌合突部４５ｃが取付孔１３ｄに対応する。
【００３１】
図５で示すように、ここで切り起し爪４６ｃ、４６ｄを対応する取付孔１３а、１３ｃに嵌合し係止させると、嵌合突部４５ｃが取付孔１３ｄに臨む。これにより、両挟み板４２、４２が棚柱１の側板部１２、１２に接面して挟着し、棚受け２の左右方向への移動を阻止する。
【００３２】
この後、図６で示すように、ロックバー４５の操作板部４５ｄを内方向へ押し込むと、丸棒軸４５ａが回動し嵌合突部４５ｃが前進して取付孔１３ｄを貫通する。かくして、棚受け２の上下方向への移動が阻止され、棚柱１に強固に止着される。
【００３３】
ここで、図７に示すように、棚本体３を垂直状態に立てた状態で、脱着手段６を開口部５１に対応させる。嵌合部６１の垂直面６１ａを上向きで開口部５１に嵌入すると、垂直面６１аの基端が開口部５１の開口上辺５１ｂに接面し、弓形膨出面６１ｂの前半分が弓形の嵌合溝５２の開口側が接面する。
【００３４】
更に、図８で示すように垂直状態の棚本体３を水平状態に回動させると、垂直面６１ａが前板部２２の上部内側に接面し、且つ弓形膨出面６１ｂと弓形嵌合溝５２が完全接面し、嵌合部６１が嵌合溝５２に固定される。同時に、屈曲板部６２が底板部２３の外面に接面し、棚受け２に棚本体３が強固に固定される。
【図面の簡単な説明】
【００３５】
【図１】実施の形態の棚装置を示す分離斜視図である。
【図２】棚受けの係合手段を示す斜視図である。
【図３】棚受けの係合手段を示す分離斜視図である。
【図４】棚受けを半断面状態とした支持手段を示す斜視図である。
【図５】棚受けと棚柱との係合状態を示す説明斜視図である。
【図６】棚受けと棚柱との係合ロック状態を示す説明斜視図である。
【図７】脱着手段と支持手段との嵌合状態を示す説明斜視図である。
【図８】棚受けに棚本体を嵌着した状態を示す説明斜視図である。
【図９】各種棚本体を棚受けを介して支柱に取付けた状態を示す斜視図である。
【図１０】従来の棚装置を示す斜視図である。
【符号の説明】
【００３６】
１      棚柱
２      棚受け
３      棚本体
４      係合手段
５      支持手段
６      脱着手段
２１    天板板
２２    前板部
２３    底板部
４１    取付板
４２    挟み板
４３    背板部
４４    内側板  
４５    ロックバー  
４６    係止板
５１    開口部
５２    嵌合溝
６１    嵌合部
６２    屈曲板部
４５ａ  丸棒軸
４５ｃ  嵌合突部
４５ｄ  操作板部
４６ｃ  切り起し爪
４６ｄ  切り起し爪
４６ｅ  出没孔  
６１ａ  垂直面
６１ｂ  弓形膨出面
【図１】
2013247990.tif 000003
【図２】
2013247990.tif 000004
【図３】
2013247990.tif 000005
【図４】
2013247990.tif 000006
【図５】
2013247990.tif 000007
【図６】
2013247990.tif 000008
【図７】
2013247990.tif 000009
【図８】
2013247990.tif 000010
【図９】
2013247990.tif 000011
【図１０】
2013247990.tif 000012